(57)【要約】【課題】本発明の目的は、ユーザの使い勝手を損ねることなく、原稿長検知センサの寿命を延長することである。【解決手段】原稿トレイの原稿の有無を検知する原稿有無検知手段と、原稿トレイの原稿サイズを検知する原稿サイズ検知手段と、原稿サイズ検知手段を駆動する電源をＯＮ又はＯＦＦする電源スイッチと、原稿有無検知手段が原稿有りを検知した時点で電源をＯＮし、原稿有無検知手段が原稿無しを検知した時点又は電源がＯＮされてから予め設定されたタイムアウト時間が経過した時点で電源をＯＦＦする制御部と、を有し、制御部は、原稿有無検知手段が原稿有りを検知してからジョブ開始の信号を受けるまでのジョブ前載置時間を計測し、そのジョブ前載置時間に応じて、タイムアウト時間を変更する。【選択図】    図７
2018085673.tif 000002
【特許請求の範囲】
【請求項１】
原稿トレイに原稿が載置された後にジョブ開始の信号を受けることで、前記原稿トレイから原稿を搬送し、画像読取部にて原稿の画像を読み取る画像読取装置において、
前記原稿トレイの原稿の有無を検知する原稿有無検知手段と、
前記原稿トレイの原稿サイズを検知する原稿サイズ検知手段と、
前記原稿サイズ検知手段を駆動する電源をＯＮ又はＯＦＦする電源スイッチと、
前記原稿有無検知手段が原稿有りを検知した時点で前記電源をＯＮし、前記原稿有無検知手段が原稿無しを検知した時点又は前記電源がＯＮされてから予め設定されたタイムアウト時間が経過した時点で前記電源をＯＦＦする制御部と、を有し、
前記制御部は、前記原稿有無検知手段が原稿有りを検知してから前記ジョブ開始の信号を受けるまでのジョブ前載置時間を計測し、そのジョブ前載置時間に応じて、前記タイムアウト時間を変更することを特徴とする画像読取装置。
【請求項２】
前記制御部は、前記電源がＯＮされてからＯＦＦされるまでの駆動時間を計測するとともに、計測した駆動時間を累積し、その累積時間が一定時間未満である場合は、前記タイムアウト時間を、前記ジョブ前載置時間の平均値と標準偏差に第一の定数をかけた値との和とし、前記累積時間が一定時間以上である場合は、前記タイムアウト時間を、前記ジョブ前載置時間の平均値と標準偏差に第一の定数以下とする第二の係数をかけた値との和とすることを特徴とする請求項１に記載の画像読取装置。
【請求項３】
前記原稿トレイに載置する複数枚の原稿からなる原稿束の原稿サイズが同じ原稿サイズであるか、異なる原稿サイズであるかを指定することが可能な操作部を有し、
前記制御部は、前記同じ原稿サイズが指定された場合に、前記原稿サイズ検知手段により前記原稿束の１枚目の原稿のサイズを検知した後に、前記電源をＯＦＦし、
前記異なる原稿サイズが指定された場合に、前記原稿有無検知手段が原稿無しを検知するまで又は前記タイムアウト時間が経過するまでは、前記電源をＯＦＦしないことを特徴とする請求項１又は２に記載の画像読取装置。
【請求項４】
前記制御部は、前記タイムアウト時間が経過して前記電源をＯＦＦした後に、前記ジョブ開始の信号を受けた場合には、前記ジョブ開始の信号を受けた時点で前記電源をＯＮすることを特徴とする請求項１乃至３のいずれか１項に記載の画像読取装置。
【発明の詳細な説明】
【技術分野】
【０００１】
本発明は、原稿トレイに載置された原稿を１枚ずつ給送し、読取位置にて原稿の画像を読み取る画像読取装置に関する。
【背景技術】
【０００２】
複写機等の画像読取装置においては、読取対象となる原稿を１枚ずつ連続的に搬送することが可能な、いわゆる自動原稿搬送装置（Ａｕｔｏｍａｔｉｃ  Ｄｏｃｕｍｅｎｔ  Ｆｅｅｄｅｒ  以下「ＡＤＦ」と略す）を搭載したものが知られている。この画像読取装置においては、ＡＤＦにより原稿を１枚ずつ連続的に搬送し、これらの原稿から画像を光学的に読み取って画像データを得るスキャン動作が一般的に行われている。
【０００３】
ＡＤＦにより搬送した原稿を読み取る際に、複数枚の原稿からなる原稿束を載置するトレイ上で原稿のサイズを検出して、検出したサイズの画像領域を読み取ることがある。トレイ上で検出した原稿のサイズを用いることにより、対応する記録紙が収納されたプリンタの用紙給紙段を決定する等の処理を進めることができ、生産性やＦＣＯＴ（Ｆｉｒｓｔ  Ｃｏｐｙ  Ｏｕｔｐｕｔ  Ｔｉｍｅ）を向上できる。
【０００４】
トレイ上で原稿のサイズを検出するためのセンサとして、発光側に赤外光ＬＥＤを用い、受光側にフォトダイオードを用いた光学式の測距センサを用いることがある。光学式の測距センサを用いることにより、原稿トレイ上の原稿が浮いて載置されていた場合であっても、許容範囲内であれば、原稿の有無を検出できる。
【０００５】
しかし、原稿束を載置するトレイ上で原稿のサイズを検出する際に用いるＬＥＤは点灯時間に応じて発光量が減少し、検知距離が短くなるという特性がある。この特性により複合機の使用時間が長くなるにつれて、原稿を検出できる許容範囲が減衰していくことが考えられている。
【０００６】
そのため、特許文献１では、原稿長さセンサの発光素子を検出直前に点灯し、検出直後に消灯する制御を、原稿トレイに積載された１枚目の原稿を給紙する直前に実施する技術が提案されている。
【先行技術文献】
【特許文献】
【０００７】
【特許文献１】特許第３９３３９２８号
【発明の概要】
【発明が解決しようとする課題】
【０００８】
しかしながら、上記特許文献１では、原稿長さセンサの発光素子の点灯時間を最小にしつつ、トレイに載置された原稿長さを検出できる反面、ジョブ中にトレイ上の原稿サイズを検知する場合に、検知したいタイミングで即座に原稿サイズを検出できないという課題がある。
【０００９】
つまり、点灯開始信号を出力した後、実際に点灯するまでに時間がかかり、トレイ上の原稿のサイズを検出するまでに待ち時間が生じる。原稿のサイズを検出するまでに待ち時間が生じると、ＡＤＦからのＦＣＯＴや生産性に影響を与える。センサの寿命とＦＣＯＴ・生産性との両立が課題となる。
【００１０】
そこで、本発明の目的は、ＦＣＯＴや生産性に対する影響を低減しつつ、トレイ上で原稿のサイズを検出するセンサの短寿命化を抑えることである。
【課題を解決するための手段】
【００１１】
上記目的を達成するため、本発明は、原稿トレイに原稿が載置された後にジョブ開始の信号を受けることで、前記原稿トレイから原稿を搬送し、画像読取部にて原稿の画像を読み取る画像読取装置において、前記原稿トレイの原稿の有無を検知する原稿有無検知手段と、前記原稿トレイの原稿サイズを検知する原稿サイズ検知手段と、前記原稿サイズ検知手段を駆動する電源をＯＮ又はＯＦＦする電源スイッチと、前記原稿有無検知手段が原稿有りを検知した時点で前記電源をＯＮし、前記原稿有無検知手段が原稿無しを検知した時点又は前記電源がＯＮされてから予め設定されたタイムアウト時間が経過した時点で前記電源をＯＦＦする制御部と、を有し、前記制御部は、前記原稿有無検知手段が原稿有りを検知してから前記ジョブ開始の信号を受けるまでのジョブ前載置時間を計測し、そのジョブ前載置時間に応じて、前記タイムアウト時間を変更することを特徴とする。
【発明の効果】
【００１２】
本発明によれば、ＦＣＯＴや生産性に対する影響を低減しユーザの使い勝手を損ねることなく、原稿サイズ検知手段の短寿命化を抑えて寿命を延長することができる。
【図面の簡単な説明】
【００１３】
【図１】画像読取装置の断面図
【図２】画像読取装置のブロック図
【図３】画像読取装置を上から見た図
【図４】読み取りジョブ開始前原稿載置のフローチャート
【図５】ジョブ開始時のフローチャート
【図６】ジョブ開始時のフローチャート
【図７】ジョブ開始時のフローチャート
【図８】センサ調整時のフローチャート
【図９】原稿トレイ上の原稿サイズ判定の表図
【図１０】ＬＥＤ発光正常時の原稿トレイ上センサの光路模式図
【図１１】ＬＥＤ発光減衰時の原稿トレイ上センサの光路模式図
【発明を実施するための形態】
【００１４】
以下、図面を参照して、本発明の好適な実施の形態を例示的に詳しく説明する。ただし、以下の実施形態に記載されている構成部品の寸法、材質、形状、それらの相対配置などは、本発明が適用される装置の構成や各種条件により適宜変更されるべきものである。従って、特に特定的な記載がない限りは、本発明の範囲をそれらのみに限定する趣旨のものではない。
【００１５】
以下、本発明の実施例における画像読取装置の構成例について図面を参照して説明する。図１は、本実施例のＡＤＦを含む画像読取装置の一例を示す断面図である。本実施例の画像読取装置１０００は、原稿の画像を読み取る画像読取部２００と、原稿を１枚ずつ連続的に搬送することが可能な自動原稿搬送部（以下、ＡＤＦ）１００を備えている。さらに画像読取装置１０００には、図２に示すコントローラ部（コントローラ３００）が接続されている。
【００１６】
＜画像読取部２００の構成例＞
画像読取部２００について、図１を参照しながら説明する。図１に示すように、画像読取部２００は、原稿トレイガラス２０９上に設置された原稿について、光学スキャナユニット２０２を図１の矢印に示す副走査方向に一定速度で走査することで、原稿に記録された画像情報を１ラインずつに読み取る（固定読み）。また、ＡＤＦ１００上の原稿については、光学スキャナユニット２０２をＡＤＦ１００のリードローラ７の中心位置（読取位置）に来るように移動し、後述の方法で１枚ずつ給紙搬送される原稿を、読取位置にて光学的に読み取る（流し読み）。
【００１７】
＜自動原稿搬送部（ＡＤＦ）１００の構成例＞
ＡＤＦ１００の動作について、図１を参照しながら説明する。図１に示すように、ＡＤＦ１００は、１枚以上の原稿で構成される原稿束Ｓを積載する原稿トレイ３０と、原稿の搬送開始前に、原稿束Ｓが原稿トレイ３０より突出して下流への進出を規制する分離上ローラ２及び分離下ローラ３と、給紙ローラ１とを有する。原稿トレイ３０には原稿有無検知センサ（原稿有無検知手段）１０があり、原稿トレイ３０上の原稿の有無が検知できるようになっている。給紙ローラ１は、原稿トレイ３０に積載された原稿束Ｓの原稿面に落下して回転する。これにより、原稿束Ｓの最上面の原稿が給紙される。給紙ローラ１によって給送された原稿は、分離上ローラ２と分離下ローラ３の作用によって最上面の１枚が分離・搬送される。この分離は公知の分離技術によって実現されている。
【００１８】
分離上ローラ２と分離下ローラ３によって分離された原稿は、引き抜きローラ４によりレジストローラ５へ搬送され、レジストローラ５に突き当てられる。これにより原稿はループ状のたわみが形成され、原稿の搬送における斜行が解消される。レジストローラ５の下流側には、レジストローラ５を通過した原稿を表面流し読みガラス２０１方向へ搬送する給紙路が配置されている。
【００１９】
レジストローラ５により給紙路に送られた原稿は、読み取り上流ローラ６によって画像読取位置に搬送される。流し読みガラス２０１とリードローラ７の間を通過する際、原稿の表面はＬＥＤ２０３ａ，２０３ｂで照射される。その反射光は、複数のミラー２０４ａ，２０４ｂ，２０４ｃで屈曲されながら、画像読取センサ２０８によって原稿の表面画像を１ラインずつ読み取られる。その後、原稿は読み取り下流ローラ８により搬送される。読み取り下流ローラ８により搬送された原稿は、原稿の表面画像のみを読み取る場合には排紙センサ１３を通過しながら排紙ローラ９によって排紙トレイ３１まで搬送される。
【００２０】
原稿の裏面画像も読み取る場合には、表面画像を読み取り、原稿の後端が排紙センサ１３を通過した後、排紙ローラ９を抜ける前に原稿を停止させる。そして排紙ローラ９を逆回転させることで、原稿をレジストローラ５へ向けて搬送し、上述した搬送と同じように搬送することで、原稿の裏面を読み取ることができる。
【００２１】
さらに、裏面画像を読み取り完了後、原稿の後端が排紙センサ１３を通過した後、排紙ローラ９を抜ける前に原稿を停止させ、再度原稿をレジストローラ５へ向けて搬送し、画像を読み取らずに排紙トレイ３１まで搬送する。これによりすべての原稿画像読み取り後、画像読取前に原稿トレイ３０上にあった原稿の並び順と、排紙トレイ３１に排出される原稿の同じ並び順が同じになる。
【００２２】
＜ブロック図の説明＞
図２は、ＡＤＦを含む画像読取装置の制御部の構成例を示すブロック図である。原稿読取／ＡＤＦ制御コントローラ３１０は、中央演算処理装置であるＣＰＵ（Ａ）８０１、リードオンリーメモリであるＲＯＭ（Ａ）８０２、ランダムアクセスメモリであるＲＡＭ（Ａ）８０３を備えている。ＲＯＭ（Ａ）８０２には、制御プログラムが格納されており、ＲＡＭ（Ａ）８０３には、入力データや作業用データが格納される。図４、図５、図６、図７および図８に示したフローにしたがって、制御部としてのＣＰＵ（Ａ）８０１が制御プログラムを実行する。
【００２３】
ＣＰＵ（Ａ）８０１には原稿搬送機能を実現するために、給紙ローラ１、分離上ローラ２、引き抜きローラ４、レジストローラ５を回転駆動させる分離モータ８０５が接続されている。またＣＰＵ（Ａ）８０１には原稿搬送機能を実現するために、読み取り上流ローラ６、リードローラ７、読み取り下流ローラ８、排紙ローラ９を駆動させる読取モータ８０６が接続されている。
【００２４】
またＣＰＵ（Ａ）８０１は、原稿に記録された画像情報を読み取る光学スキャナユニット２０２を動かすための光学モータ８０４が接続されている。
【００２５】
さらにＣＰＵ（Ａ）８０１には、原稿トレイ３０に積載された原稿の有無を検知する原稿有無検知センサ（原稿有無検知手段）１０が接続されている。またＣＰＵ（Ａ）８０１には、原稿トレイ３０に置かれた原稿の搬送方向の長さを検知する原稿長検知センサ（原稿サイズ検知手段）１５，１６が接続されている。またＣＰＵ（Ａ）８０１には、搬送される原稿を案内する搬送路に設けられ原稿端部を検知するレジセンサ１１、リードセンサ１２、排紙センサ１３が接続されている。またＣＰＵ（Ａ）８０１には、原稿の搬送方向と直交する幅方向の長さ（以下、原稿幅ともいう）を検知する原稿幅検知センサ（原稿サイズ検知手段）１４が接続されている。
【００２６】
光学モータ８０４、分離モータ８０５、読取モータ８０６はパルスモータであり、ＣＰＵ（Ａ）８０１は駆動パルス数をカウントしながら制御することで、各モータの回転数を管理している。ＣＰＵ（Ａ）８０１は、原稿搬送中にレジセンサ１１がＯＮしてからＯＦＦするまでの分離モータ８０５の駆動パルス数をカウントすることで、搬送中の原稿の搬送方向の長さを検知することができる。
【００２７】
また、原稿トレイ３０上に原稿が置かれた状態でも、原稿長検知センサ１５，１６を用いて原稿の搬送方向の長さを判定することができる。原稿長検知センサ（第１原稿長検知センサ）１５は原稿有無検知センサ１０より原稿の搬送方向上流側に設けられ、原稿長検知センサ（第２原稿長検知センサ）１６は原稿長検知センサ１５より原稿の搬送方向上流側に設けられている。例えば、原稿を原稿トレイ３０上に載置した状態の原稿先端位置Ｏから原稿長検知センサ１５までの距離を第１の距離（２２０［ｍｍ］）とし、原稿先端位置Ｏから原稿長検知センサ１６までの距離を前記第１の距離より長い第２の距離（３３０［ｍｍ］）とする。原稿長検知センサ１５，１６はセンサの位置に原稿が有る場合にはＯＮ信号を出力（以下、簡単に「ＯＮ」と説明）し、原稿が無い場合にはＯＦＦ信号を出力（以下、簡単に「ＯＦＦ」と説明）する。このとき、ＣＰＵ（Ａ）８０１は、原稿長検知センサ１５がＯＦＦかつ原稿長検知センサ１６がＯＦＦのとき、原稿の搬送方向（副走査方向）の長さは２２０［ｍｍ］未満の長さだと判断できる。またＣＰＵ（Ａ）８０１は、原稿長検知センサ１５がＯＮかつ原稿長検知センサ１６がＯＦＦのとき、原稿の搬送方向（副走査方向）の長さは２２０［ｍｍ］以上３３０［ｍｍ］未満の長さだと判断できる。またＣＰＵ（Ａ）８０１は、原稿長検知センサ１５がＯＮかつ原稿長検知センサ１６がＯＮのとき、原稿の搬送方向（副走査方向）の長さは３３０［ｍｍ］以上の長さだと判断できる。
【００２８】
上記の手段による搬送中及び原稿トレイ３０上で検知した原稿の長さと、原稿幅検知センサ１４によって検知できる原稿幅の情報を合わせることで、ＣＰＵ（Ａ）８０１は原稿のサイズを判定する。
【００２９】
ＣＰＵ（Ａ）８０１には、画像読取機能を実現するために、光学スキャナユニット２０２のＬＥＤ２０３（２０３ａ，２０３ｂ）、画像読取センサ２０８が接続されている。ＣＰＵ（Ａ）８０１は画像読取センサ２０８によって読み取られた画像データを画像処理部（Ａ）８０７でシェーディング処理や各種のフィルタ処理を実施してから画像通信部３０２を介して画像処理コントローラ部３００へ送信する。さらに、ＣＰＵ（Ａ）８０１は原稿画像データの先端の基準となる垂直同期信号および１ラインの画素先端の基準となる水平同期信号を原稿読み取りタイミングに合わせて、コマンド通信部３０１を通して画像処理コントローラ部３００へ通知する。
【００３０】
画像処理コントローラ部３００は、ＣＰＵ（Ｂ）９０１、ＲＯＭ（Ｂ）９０２、ＲＡＭ（Ｂ）９０３を備えており、コマンド通信部３０１を介してＣＰＵ（Ａ）８０１との画像読取制御に関するデータの授受を行う。画像処理部（Ａ）８０７で処理された画像データは画像通信部３０２を介して、画像処理コントローラ部３００内の画像処理部（Ｂ）９０５へ転送されて、色の判断などの所定の画像処理を施された後に、画像メモリ９０６に格納される。また、画像処理コントローラ部３００は、操作部９０４を備えており、ユーザとのインターフェース制御は操作部９０４を介してＣＰＵ（Ｂ）９０１によって行われる。なお、ＣＰＵ（Ｂ）９０１は、ユーザによって操作部９０４に入力された情報を受け取り、読み取りジョブ開始等の入力情報を処理する。
【００３１】
原稿読取／ＡＤＦ制御コントローラ部３１０は、ＥＥＰＲＯＭ（記憶手段）８０８を備えており、画像読み取り位置の微調整値といった工場調整値を保持することが可能である。ここでは、ユーザが原稿を原稿トレイ３０に載置してからジョブ開始するまでの時間（ジョブ前載置時間）を保持するためにもＥＥＰＲＯＭ８０８を用いる。
【００３２】
原稿読取／ＡＤＦ制御コントローラ部３１０は、原稿トレイセンサ電源スイッチ８０９を備えており、原稿トレイ３０上の原稿長検知センサ１５，１６の電源のＯＮ／ＯＦＦを切り替えることができる。なお、原稿トレイセンサ電源スイッチ８０９は原稿有無検知センサ１０の電源は制御していない。そのため、原稿有無検知センサ１０は、原稿トレイセンサ電源スイッチ８０９の状態にかかわらず、原稿が原稿トレイ３０に載置されているか否か、すなわち原稿の有無を判定できる。
【００３３】
原稿読取／ＡＤＦ制御コントローラ部３１０は、原稿トレイセンサ電流調整出力用Ｄ／Ａ変換８１０および原稿トレイセンサ電流調整入力用Ａ／Ｄ変換８１１を備えている。原稿トレイ３０上の原稿トレイ上原稿長検知センサ１５の発光側ＬＥＤの光量を原稿トレイセンサ電流調整出力用Ｄ／Ａ変換８１０により変更調整できる。また、発行されたＬＥＤの原稿からの反射光を受光センサで受光し、その際の受光側センサの光量を原稿トレイセンサ電流調整入力用Ａ／Ｄ変換８１１により光量のレベルを例えば１０２４段階のレベルとして観測できる。調整時のシーケンスについては、後述する図８に示す。
【００３４】
＜原稿トレイ上原稿センサの電源駆動制御について＞
本発明を適用した原稿トレイ上原稿センサの電源駆動制御について、図１〜図１１を参照しながら、原稿の片面を読み取る例で説明する。
【００３５】
図１の原稿トレイ３０上に載置された原稿サイズの検知方法について説明する。図３は画像読取装置１０００を上から見た図である。利用者は原稿を原稿トレイ３０上に載置すると、原稿ガイド板２５Ａ，２５Ｂを原稿幅に合わせてセットする。図２に示した原稿幅検知センサ１４は原稿ガイド板２５Ａ，２５Ｂの間の幅を検知できるように構成されており、ＣＰＵ（Ａ）８０１は原稿幅検知センサ１４の値を参照することで、原稿トレイ３０上にセットされた原稿の幅を検知できる。さらに原稿長検知センサ１５，１６はセンサの位置に原稿がある場合はＯＮ、ない場合はＯＦＦとなるように構成されている。原稿長検知センサは、例えば、原稿トレイ３０上の原稿を検出するフラグ式センサと、原稿トレイ３０上の原稿に光を照射し、その反射光を検出する光学式センサを選択的に用いることができる。例えば、原稿長検知センサ１５に光学式のセンサを用い、原稿長検知センサ１６にフラグ式のセンサを用いるといった構成が可能である。ＣＰＵ（Ａ）８０１はこれらの値を用いて、予めＲＯＭ（Ａ）８０２に記録されたサイズ判定情報（図９）をもとに原稿サイズを判定する。
【００３６】
また、ＣＰＵ（Ｂ）９０１は、不図示の画像形成装置へのコピーを実行するときには、操作部９０４に印刷時のカセット給紙段を指定し、印刷される出力サイズを確定することで、その出力サイズに応じた読取領域をＣＰＵ（Ａ）８０１へ指定できる。ここで、カセット給紙段とは、記録対象の記録紙が収納可能な複数段のカセットであり、カセット毎に異なるサイズの記録紙が収納された複数段のカセットのことである。原稿トレイ３０上で検出した原稿のサイズを用いることにより、画像形成装置の用紙給紙段を決定する等の処理を進めることができ、単位時間当たりの読取枚数である生産性やＦＣＯＴ（Ｆｉｒｓｔ  Ｃｏｐｙ  Ｏｕｔｐｕｔ  Ｔｉｍｅ）を向上できる。
【００３７】
さらに、ＣＰＵ（Ｂ）９０１は、操作部９０４により、定形サイズ読み取り、混載読み取りや、フリーサイズ読み取りといった、ジョブ種別を指定することにより、ＣＰＵ（Ａ）８０１へジョブ種別を指定できる。例えば、操作部９０４により、原稿トレイに載置する複数枚の原稿からなる原稿束の原稿サイズが同じ原稿サイズであるか、異なる原稿サイズであるかを指定することができる。
【００３８】
図４にＣＰＵ（Ａ）８０１が実行する読み取りジョブ開始前原稿載置のフローチャートを示す。図４は、原稿トレイ３０上に原稿が載置されてから原稿の読み取りが開始され、原稿が原稿トレイから取り除かれるまでの制御を示している。
【００３９】
まず、ＣＰＵ（Ａ）８０１は、原稿有無検知センサ１０がＯＮになることを監視する（Ｓ４０１）。原稿有無検知センサ１０がＯＮになると、原稿トレイ電源（不図示）をＯＮするために、原稿トレイセンサ電源スイッチ８０９をＯＮとする（Ｓ４０２）。その後、原稿トレイに載置された原稿のサイズが検出可能となるまで所定時間待つ（Ｓ４０３）。この所定時間は、原稿サイズを検出する原稿長検知センサ１５，１６が原稿サイズを検出可能となる時間であり、数１０［ｍｓ］から数１００［ｍｓ］程度である。
【００４０】
次に、原稿サイズを検出するための電源のＯＮが確定したため、原稿トレイ電源をＯＮした状態であることをＲＡＭ（Ａ）に保持する（Ｓ４０４）。ここで保持した電源ＯＮ状態に関する情報は、ジョブ開始時に再度原稿トレイ電源ＯＮ時の待ちが必要か否かを判定するために用いる（後述する図５のＳ５０１）。
【００４１】
次に、ＣＰＵ（Ａ）８０１は、原稿トレイ３０上の原稿長検知センサ１５，１６が原稿サイズを検出可能になった時刻を保持する（Ｓ４０５）。ＣＰＵ（Ａ）は、ここで保持した時刻からユーザがジョブを開始する時刻（後述するＳ４２１）までのジョブ前載置時間を計測する。すなわち、ＣＰＵ（Ａ）８０１は、原稿有無検知センサ１０が原稿有りを検知してからジョブ開始の信号を受けるまでのジョブ前載置時間を計測する。これにより、ユーザの使用パターン（原稿を載置してからジョブが開始されるまでのパターン）において適切な長さの時間だけ原稿長検知センサ１５の発光側ＬＥＤを点灯させることができる。
【００４２】
続いて、原稿トレイ３０上の原稿サイズの検出を停止するためのタイマーを開始する（Ｓ４０６）。このタイマーは、ＣＰＵ（Ａ）８０１に内蔵される時間計測機能によって実現でき、所定時間経過したときに、原稿トレイセンサ電源スイッチ８０９により、原稿長検知センサ１５，１６への電源供給を停止できる（後述するＳ４１２）。原稿載置（電源供給）から電源供給を停止するまでの所定時間（タイムアウト時間）は、ユーザの原稿載置からＡＤＦ読み取りを開始するまでの時間、原稿長検知センサ１５のＬＥＤ点灯時間、および原稿長検知センサ１５のセンサ調整結果を用いて、後述するＳ５２６により算出される。なお、工場出荷直後の状態においては、本タイマーの動作時間（タイムアウト時間）を予め設定された時間（ここでは４分）としてもよい。
【００４３】
次に、ＣＰＵ（Ａ）８０１は、ユーザが操作部９０４からＡＤＦ読み取りジョブを開始したことをＣＰＵ（Ｂ）９０１から通知を受けているか否かを判定する（Ｓ４０７）。
【００４４】
以下では、ＡＤＦ読み取り開始していない場合とＡＤＦ読み取り開始した場合とに分けて説明する。
【００４５】
最初に、ＡＤＦ読み取りジョブが開始されていない場合（Ｓ４０７Ｎｏ）、原稿トレイ電源ＯＦＦタイマーが１回目のタイムアウトとなっているか否かを判定する（Ｓ４０８）。
【００４６】
Ｓ４０８のステップにおいて、原稿トレイ電源ＯＦＦタイマーがタイムアウトした場合（Ｓ４０８Ｙｅｓ）、所定時間（タイムアウト時間）、ＡＤＦ読み取りが開始されずに、原稿が原稿トレイ３０上に放置されてしまっている状態となっている。このため、まず原稿トレイ電源ＯＦＦタイマーがタイムアウトした場合に、タイムアウトが複数回発生しないよう原稿トレイ電源ＯＦＦタイマーを止める（Ｓ４１０）。そして、Ｓ４０４においてＲＡＭ（Ａ）に保持した電源の状態をＯＦＦ状態となったことに書き換えた上で（Ｓ４１１）、原稿トレイセンサ電源スイッチ８０９により、原稿長検知センサ１５，１６への電源供給を停止する（Ｓ４１２）。すなわち、ＣＰＵ（Ａ）８０１は、原稿トレイ電源がＯＮされてから予め設定されたタイムアウト時間が経過した時点で前記電源をＯＦＦする。これにより、原稿長検知センサ１５，１６がサイズを検出できない状態であることを判別できる。
【００４７】
次に、ＣＰＵ（Ａ）８０１は、原稿長検知センサ１５，１６への電源供給を停止した時刻を保持する（Ｓ４１３）。ここで保持した時刻は、Ｓ４０５にて保持した原稿トレイ３０上の原稿長検知センサ１５，１６が原稿サイズを検出可能になった時刻からの経過時間をＳ４２０で算出するために用いる。
【００４８】
Ｓ４１３にて取得した経過時間（計測したタイムアウト時間）は、不揮発性メモリ（ＥＥＰＲＯＭ８０８）に保持されている、原稿トレイ電源ＯＮからＯＦＦまでの累積時間に足し合わせ、更新する（Ｓ４１４）。この累積時間は、後述するＳ５２６にて、原稿トレイ３０上の原稿サイズの検出を停止するためのタイマーを動作させる時間を算出する際に用いる。
【００４９】
センサのサイズ検知が必要な時以外には電流をＯＦＦした方がＬＥＤの寿命にとって有利である。そのため、このタイマーは、原稿長検知センサ１５のＬＥＤの寿命を長期化するために、所定時間、ＡＤＦ読み取りジョブが開始されない場合に、原稿トレイセンサ電源スイッチ８０９によりセンサへ供給する電源を遮断するために用いる。
【００５０】
詳細は後述するが、ＬＥＤの総点灯時間がＬＥＤの寿命に影響する。そこで、原稿トレイ電源ＯＦＦタイマーがタイムアウトしていない場合（Ｓ４０８Ｎｏ）、ユーザが原稿トレイ３０から原稿を取り除き、原稿の読み取りを中止したことを検出するために、原稿有無検知センサ１０で原稿の有無を判定する（Ｓ４０９）。原稿を取り除いていない場合において（Ｓ４０９Ｎｏ）、ユーザが操作部９０４を操作してＡＤＦ読み取りジョブを開始したことをＣＰＵ（Ｂ）９０１から通知を受けているか否かを判定する（Ｓ４０７）、ということを繰り返しチェックする。
【００５１】
ＣＰＵ（Ａ）８０１は、Ｓ４０９にて原稿が取り除かれている場合には（Ｓ４０９Ｙｅｓ）、原稿トレイ電源ＯＦＦタイマーがタイムアウトを既に完了したことがあるか否かを判定する（Ｓ４１５）。
【００５２】
既に原稿トレイ電源ＯＦＦタイマーがタイムアウトを完了していた場合（Ｓ４１５Ｙｅｓ）には、図４に示す原稿トレイ上の載置制御を完了する。Ｓ４１５Ｙｅｓの場合には、Ｓ４０８にてタイムアウトが１回発生した後であるため（Ｓ４０８Ｙｅｓ）、既にＳ４１０にて原稿トレイ電源ＯＦＦタイマーを停止しており、Ｓ４１４にて原稿トレイ上の原稿検知センサのＯＮからＯＦＦまでの累積時間を保持し終えている。そのため、改めてタイマーの停止処理は不要である。
【００５３】
原稿トレイ電源ＯＦＦタイマーがタイムアウトを完了していなかった場合（Ｓ４１５Ｙｅｓ）には、まだ原稿トレイ電源ＯＦＦタイマーを停止していないため、Ｓ４１６にて原稿トレイ電源ＯＦＦタイマーを停止する。
【００５４】
次に、Ｓ４０４においてＲＡＭ（Ａ）で電源の状態を「ＯＮ状態」としていたのを「ＯＦＦ状態」に書き換えて（Ｓ４１７）、原稿トレイセンサ電源スイッチ８０９により、原稿長検知センサ１５，１６への電源供給を停止する（Ｓ４１８）。これにより、原稿長検知センサ１５，１６がサイズを検出できない状態であることを判別できる。
【００５５】
次に、ＣＰＵ（Ａ）８０１は、原稿長検知センサ１５，１６への電源供給を停止した時刻を保持する（Ｓ４１９）。ここで保持した時刻はＳ４０５にて保持した原稿トレイ３０上の原稿長検知センサ１５，１６が原稿サイズを検出可能になった時刻からの経過時間をＳ４２０で算出するために用いる。
【００５６】
Ｓ４１３にて取得した経過時間は、不揮発性メモリ（ＥＥＰＲＯＭ８０８）に保持されている、原稿トレイ電源ＯＮからＯＦＦまでの駆動時間を累積時間に足し合わせ、更新する（Ｓ４２０）。この累積時間は、後述するＳ５２６にて、原稿トレイ３０上の原稿サイズの検出を停止するためのタイマーを動作させる時間を算出する際に用いる。
【００５７】
次に、ＡＤＦ読み取りジョブを開始する場合について説明する。
【００５８】
まず、ＡＤＦ読み取りが開始されている場合（Ｓ４０７Ｙｅｓ）において、ジョブ開始時刻を保持する（Ｓ４２１）。ジョブ開始時刻は、Ｓ４２２にて、原稿トレイ電源ＯＮ開始時刻（Ｓ４０５）からジョブ開始までのジョブ前載置時間（Ｓ４２１）を不揮発性メモリ（ＥＥＰＲＯＭ８０８）に保持する。不揮発性メモリに保持する時間は、累積時間ではなく、ジョブ前のＯＮ時間を複数回分保持する。例えば、過去１００回分のデータを保持してもよい。これにより、後述するＳ５２６により算出する、原稿トレイ電源ＯＮ開始時刻（Ｓ４０５）からジョブ開始までのジョブ前載置時間（Ｓ４２１）の時間の平均値と、標準偏差を算出することが可能となる。
【００５９】
次に、ＣＰＵ（Ａ）８０１は、ＡＤＦ読み取りジョブ中に原稿トレイ上の原稿サイズを検出可能とするために、原稿トレイ電源ＯＦＦタイマーを停止する（Ｓ４２３）。
【００６０】
続いて、ＣＰＵ（Ａ）８０１は、ＡＤＦ読み取りジョブを開始する（Ｓ４２４）。Ｓ４２４の詳細は、図５、図６、図７に示す。
【００６１】
図５、図６、図７にＣＰＵ（Ａ）８０１が実行する読み取りジョブ実行時のフローチャートを示す。図５、図６、図７は、ユーザが操作部９０４からＡＤＦ読み取りジョブを開始した後、原稿トレイ上の原稿をすべて読み取るまでの制御を示している。
【００６２】
まず、ＣＰＵ（Ａ）８０１は、Ｓ４０４でＲＡＭ（Ａ）に保持した原稿トレイ電源ＯＮした状態か、Ｓ４１１・Ｓ４１７でＲＡＭ（Ａ）に保持した原稿トレイ電源ＯＦＦした状態であるか、つまり、原稿トレイ電源がＯＦＦされて、原稿サイズが検出できない状態であるか、を判定する（Ｓ５０１）。
【００６３】
原稿トレイ電源がＯＦＦされていない場合（Ｓ５０１Ｎｏ）には、原稿長検知センサ１５，１６への電源が供給されており、原稿サイズ検知可能な状態であるため、原稿トレイ上の原稿サイズを検出する（Ｓ５０６）。
【００６４】
原稿トレイ電源がＯＦＦされている場合（Ｓ５０１Ｙｅｓ）には、原稿長検知センサ１５，１６への電源が供給されていないため、原稿トレイ電源ＯＮが必要である。そのため、まず原稿トレイ電源ＯＮ開始時刻をＲＡＭ（Ａ）に保持する（Ｓ５０２）。
【００６５】
次に、原稿トレイ電源をＯＮするために、原稿トレイセンサ電源スイッチ８０９をＯＮとする（Ｓ５０３）。その後、原稿トレイに載置された原稿のサイズが検出可能となるまで所定時間待つ（Ｓ５０４）。この所定時間は、原稿サイズを検出する原稿長検知センサ１５，１６がサイズを検出可能となる時間であり、数１０［ｍｓ］から数１００［ｍｓ］程度である。
【００６６】
次に、原稿サイズを検出するための電源のＯＮが確定したため、原稿トレイ電源ＯＮした状態であることをＲＡＭ（Ａ）に保持しておく（Ｓ５０５）。
【００６７】
続いて、原稿トレイ上の原稿サイズを検出する（Ｓ５０６）。ＣＰＵ（Ａ）８０１は、原稿幅検知センサ１４、原稿長検知センサ１５，１６の値に応じて原稿サイズを決定する（図９）。例えば、原稿幅検知センサ１４の原稿幅区分が８、かつ、原稿長検知センサ１５，１６のセンサが両方ＯＦＦである場合、原稿トレイ３０上にある原稿サイズは、Ａ４サイズであると判定する。
【００６８】
次に、ＣＰＵ（Ａ）８０１は、ジョブ種別が定形サイズ読み取りであるかどうかを判定する（Ｓ５０７）。すなわち、ＣＰＵ（Ａ）８０１は、原稿トレイ３０に載置された原稿束の原稿サイズが同じ原稿サイズであるかを判定する。定形サイズ読み取りジョブである場合（Ｓ５０７Ｙｅｓ）には、ジョブ開始時に確定した原稿サイズで原稿トレイ上のすべての原稿を読み取り続けるため、ジョブ開始時に原稿長検知センサの電源をＯＦＦすることが可能である。
【００６９】
そのため、まず、ＣＰＵ（Ａ）８０１は、Ｓ４０４またはＳ５０５にてＲＡＭ（Ａ）に保持していた原稿トレイ電源状態を、電源ＯＦＦ状態として保持する（Ｓ５０８）。
【００７０】
次に、原稿トレイセンサ電源スイッチ８０９により原稿トレイ電源をＯＦＦし、原稿長検知センサ１５，１６への電源供給を停止する（Ｓ５０９）。
【００７１】
次に、ＣＰＵ（Ａ）８０１は、原稿長検知センサ１５，１６への電源供給を停止した時刻を保持する（Ｓ５１０）。ここで保持した時刻はＳ４０５にて保持した原稿トレイ３０上の原稿長検知センサ１５，１６が原稿サイズを検出可能になった時刻からの経過時間をＳ５１１で算出するために用いる。
【００７２】
Ｓ５１０にて取得した経過時間は、不揮発性メモリ（ＥＥＰＲＯＭ８０８）に保持されている、原稿トレイ電源ＯＮからＯＦＦまでの駆動時間を累積時間に足し合わせ、更新する（Ｓ５１１）。この累積時間は、後述するＳ５２６にて、原稿トレイ３０上のサイズの検出を停止するためのタイマーを動作させる時間を算出する際に用いる。
【００７３】
Ｓ５０７の判定において、定形サイズ読み取りジョブでない場合（Ｓ５０７Ｎｏ）には、ジョブ開始以後も各原稿に対して、原稿サイズを検知するために、電源をＯＦＦしないで、原稿トレイ上のセンサを用いることになる。そのため、ジョブ開始時に原稿トレイセンサの電源をＯＮしたままとする。ここで、定形サイズ読み取りジョブでない場合とは、原稿トレイに載置された原稿束の原稿サイズが異なる原稿サイズである混載読み取りや、フリーサイズ読み取りといった場合である。
【００７４】
次に、ＣＰＵ（Ａ）８０１は、光学スキャナユニット２０２を光学モータ８０４の駆動により、読み取り位置へ移動する（Ｓ５１２）。
【００７５】
次に、ＣＰＵ（Ａ）８０１は、原稿給紙前にジョブ種別が定形サイズ読み取りであるかどうかを判定する（Ｓ５１３）。定形サイズ読み取りジョブでない場合（Ｓ５１３Ｎｏ）には、原稿幅検知センサ１４、原稿長検知センサ１５，１６により原稿トレイ３０上の原稿サイズを図９に示すテーブルに従って検出する（Ｓ５１４）。
【００７６】
定形サイズ読み取りジョブである場合（Ｓ５１３Ｙｅｓ）には、原稿トレイ上の原稿サイズは同じ原稿サイズであり、すでにジョブ開始時に原稿トレイ３０上の原稿サイズを検出しているため、原稿サイズの検出を行う必要はない。
【００７７】
次に、ＣＰＵ（Ａ）８０１は、分離モータ８０５および読取モータ８０６を駆動することにより、原稿の搬送を開始し（Ｓ５１５）、原稿先端がリードセンサ１２に到達し、所定の距離だけ原稿を搬送したときに、原稿読取を開始する（Ｓ５１６）。
【００７８】
次に、ＣＰＵ（Ａ）８０１は、レジセンサ１１がＯＦＦになることを検出することで、原稿の搬送方向の長さを検知し（Ｓ５１７）、原稿後端がリードセンサ１２に到達し、所定の距離だけ原稿を搬送したときに、原稿読取を終了する（Ｓ５１８）。
【００７９】
次に、ＣＰＵ（Ａ）８０１は、原稿有無検知センサ１０がＯＮのとき（Ｓ５１９Ｙｅｓ）、つまり、原稿トレイ３０上に次に搬送する原稿があるときには、Ｓ５１３に戻り、原稿の給紙を再開する。原稿有無検知センサ１０がＯＦＦのとき（Ｓ５１９Ｎｏ）、つまり、原稿トレイ３０上に次に搬送する原稿がないとき（原稿無し）には、原稿トレイ電源ＯＮ状態が保持されているか否かを判定する（Ｓ５２０）。原稿トレイ電源ＯＮ状態は、Ｓ４０４、Ｓ５０５でＯＮ状態を保持し、Ｓ５０８でＯＦＦ状態をＲＡＭ（Ａ）に保持している。
【００８０】
原稿トレイ電源ＯＮ状態が保持されている場合（Ｓ５２０Ｙｅｓ）には、Ｓ４０４またはＳ５０５にてＲＡＭ（Ａ）に保持していた原稿トレイ電源状態を、電源ＯＦＦ状態として保持する（Ｓ５２１）。
【００８１】
次に、原稿トレイセンサ電源スイッチ８０９により、原稿長検知センサ１５，１６への電源供給を停止する（Ｓ５２２）。
【００８２】
次に、ＣＰＵ（Ａ）８０１は、原稿長検知センサ１５，１６への電源供給を停止した時刻を保持する（Ｓ５２３）。ここで保持した時刻はＳ４０５にて保持した原稿トレイ３０上の原稿長検知センサ１５，１６が原稿サイズを検出可能になった時刻からの経過時間をＳ５２４で算出するために用いる。
【００８３】
Ｓ５２３にて取得した経過時間は、不揮発性メモリ（ＥＥＰＲＯＭ８０８）に保持されている、原稿トレイ電源ＯＮからＯＦＦまでの駆動時間を累積時間に足し合わせ、更新する（Ｓ５１１）。この累積時間は、後述するＳ５２４にて、原稿トレイ３０上の原稿のサイズの検出を停止するためのタイマーを動作させる時間を算出する際に用いる。
【００８４】
Ｓ５２０にて原稿トレイ電源ＯＮ状態が保持されていない場合（Ｓ５２０Ｎｏ）には、既に原稿トレイセンサ電源スイッチ８０９により、原稿長検知センサ１５，１６への電源供給を停止しているため、Ｓ５２５へ遷移する。
【００８５】
次に、ＣＰＵ（Ａ）８０１は、排紙センサ１３がＯＦＦを検出し、所定距離だけ原稿を搬出するまで待つ（Ｓ５２５）。
【００８６】
次に、ＣＰＵ（Ａ）８０１は、ジョブ終了の最後に、次に原稿が原稿トレイ３０に置かれたときの原稿トレイ電源ＯＮタイマー時間（タイムアウト時間）を計算する（Ｓ５２６）。ここで、計算されるタイムアウト時間は、ユーザの使用パターン（原稿を載置してからジョブが開始されるまでのジョブ前載置時間）に応じた適切な長さの時間である。このＳ５２６の原稿トレイ電源ＯＮタイマー時間の計算が、原稿長検知センサ１５の寿命を延命するための手段である。
【００８７】
Ｓ４１４、Ｓ４２０、Ｓ５１１、Ｓ５２４にて不揮発性メモリ（ＥＥＰＲＯＭ８０８）に保持された原稿トレイ電源ＯＮからＯＦＦまでの駆動時間を累積した累積時間は、原稿長検知センサ１５の総点灯時間である。そのため、この総点灯時間が短い時は、ＬＥＤ（発光部）の光量の減衰量も少なく、図１０に示すように原稿長検知センサ（測距センサ）による検出距離は長い。しかし、総点灯時間が長くなるほど、ＬＥＤ（発光部）の光量の減衰が大きくなり、図１１に示すように原稿長検知センサ（測距センサ）が原稿を検出できる距離は短くなる。
【００８８】
そのため、原稿長検知センサの電源がＯＮされてからＯＦＦされるまでの駆動時間を累積した累積時間（ＬＥＤの総点灯時間）が一定時間未満である場合には、ユーザの使い勝手を優先し、前記総点灯時間が一定時間以上である場合には、原稿長検知センサの寿命を優先するよう、原稿トレイ電源ＯＮタイマー時間（タイムアウト時間）を算出する。
【００８９】
まず、原稿トレイ電源ＯＮタイマー時間を、ユーザが原稿トレイ３０上に原稿を載置してからジョブ開始のためのスタートボタンを押下するまでの履歴（ジョブ前載置時間）の平均時間（平均値）と標準偏差を計算する。
【００９０】
前記総点灯時間が一定時間未満である場合には、原稿トレイ電源ＯＮタイマー時間（タイムアウト時間）を、ジョブ前載置時間の平均値と標準偏差に第一の定数（ここでは「３」）をかけた値との和（平均値＋標準偏差×３）とする。一方、前記総点灯時間が一定時間以上である場合は、前記タイムアウト時間を、ジョブ前載置時間の平均値と標準偏差に第一の定数以下とする第二の係数（ここでは「２」）をかけた値との和（平均値＋標準偏差×３）とする。ここで一定時間とは、１００００時間としてもよい。
【００９１】
これにより、総点灯時間が一定時間未満である場合には、ユーザの使い方が正規分布に従うと仮定すると９９．７％において、ジョブ開始時に、再度ＬＥＤの点灯待ちをする必要がなくなる。一方、総点灯時間が一定時間以上である場合には、ユーザの使い方が正規分布に従うと仮定すると９５％において、ジョブ開始時に、再度ＬＥＤの点灯待ちをする必要がなくなる。
【００９２】
これにより、ＦＣＯＴや生産性に対する影響を低減しユーザの使い勝手を損ねることなく、原稿長検知センサ１５の短寿命化を抑えて寿命を延長することができる。
【００９３】
次に、図８を用いて、ＣＰＵ（Ａ）８０１が実施する原稿長検知センサ１５の工場初期出荷および市場での調整時における光量調整について説明する。図８は、ＣＰＵ（Ａ）８０１が実施する原稿長検知センサ１５の工場初期出荷および市場での調整時における光量調整のフローチャートを示す。
【００９４】
まず、ＣＰＵ（Ａ）８０１は、原稿有無検知センサ１０がＯＮか否か、つまり、原稿トレイ上に調整用の原稿（Ａ３サイズ）が置かれているかどうかを判定する（Ｓ６０１）。原稿の有無を判定するのは、原稿長検知センサ１５上に原稿有りの状態でのセンサ光量を調整するためである。
【００９５】
原稿有無検知センサ１０がＯＮになると（Ｓ６０１Ｙｅｓ）、原稿トレイ電源をＯＮにした時刻をＲＡＭ（Ａ）に保持し（Ｓ６０２）、原稿トレイ電源をＯＮするために原稿トレイセンサ電源スイッチ８０９をＯＮする（Ｓ６０３）。
【００９６】
その後、原稿トレイに載置された原稿のサイズが検出可能となるまで所定時間待つ（Ｓ６０４）。この所定時間は、原稿サイズを検出する原稿長検知センサ１５，１６がサイズを検出可能となる時間であり、数１０［ｍｓ］から数１００［ｍｓ］程度である。
【００９７】
次に、ＣＰＵ（Ａ）８０１は、前記センサのＬＥＤ電流を出力するため、電流調整出力用Ｄ／Ａ変換８１０で、電流を出力する（Ｓ６０５）。このときの初期値は、例えば、２５［ｍＡ］程度である。その後、電流値が安定するまで所定時間待つ（Ｓ６０６）。
【００９８】
次に、ＣＰＵ（Ａ）８０１は、電流調整入力用Ａ／Ｄ変換８１１で検出される電圧値を計測し（Ｓ６０７）、電流調整入力用Ａ／Ｄ変換８１１で検出される電圧値が一定の範囲内に入っているか否かを判定する（Ｓ６０８）。一定の範囲内とは、例えば、４±０．１［Ｖ］である。
【００９９】
電流調整入力用Ａ／Ｄ変換８１１で検出される電圧値が一定の範囲内でない場合（Ｓ６０８Ｎｏ）、センサ調整回数が所定回数以上であるか判定する（Ｓ６１０）。所定回数とは例えば１０回程度である。センサ調整回数が所定回数以上である場合には、電流が一定の範囲内に収まらないため、エラーとする（Ｓ６１２）。一方、センサ調整回数が所定回数未満の場合（Ｓ６１０Ｎｏ）、ＬＥＤ電流を出力するため、電流調整出力用Ｄ／Ａ変換８１０で電流を出力する値を更新する（Ｓ６１１）。
【０１００】
一回目の更新である場合には、例えば、５０［ｍＡ］程度とし、二回目の更新である場合には、例えば、７５［ｍＡ］程度としてもよい。三回目以上の更新である場合には、前々回計測時のＤＡ出力とＡＤ入力値、前回計測時のＤＡ出力とＡＤ入力値とを用いて、線形補間演算し、ターゲット電圧（４［Ｖ］）に近づくよう設定する。
【０１０１】
Ｓ６１１にて更新した設定値（ＤＡ出力値）を用いて、ステップＳ６０５に戻り、ＬＥＤ電流調整を再度行う（Ｓ６０８）。電流調整入力用Ａ／Ｄ変換８１１で検出される電圧値が一定の範囲内（例えば、４±０．１［Ｖ］）に収束したとき（Ｓ６０８Ｙｅｓ）、ＬＥＤ電流のＤＡ出力値を不揮発性メモリ（ＥＥＰＲＯＭ８０８）に保持する（Ｓ６０９）。
【０１０２】
この図８に示すフローチャートで調整したＬＥＤ電流のＤＡ出力値は、Ｓ４０２またはＳ５０３にて原稿トレイ電源をＯＮする際に、原稿長検知センサ１５が原稿を検出するために用いることができる。
【０１０３】
また、ＬＥＤ電流ＤＡ出力値は、Ｓ５２６ステップにて原稿トレイ電源ＯＮタイマー時間（タイムアウト時間）を算出する際にも用いることができる。電流を大きく設定しているときには、発熱量が大きくなるため、ＬＥＤの寿命が低下する傾向がある。そのため、工場初期出荷時よりも電流を大きく設定している場合には、原稿トレイ電源ＯＮタイマーの設定時間（タイムアウト時間）を短くする。
【０１０４】
そのために、工場初期出荷時のＬＥＤ電流ＤＡ出力値を、図８に示す本調整フローに基づき求められたＬＥＤ電流ＤＡ出力値により割った比率を算出し、この比率をαと呼ぶ。この比率αの範囲に上限と下限を設けてもよく、例えば比率αの範囲を２／３≦α≦１の範囲としてもよい。
【０１０５】
原稿トレイ電源ＯＮタイマー時間（タイムアウト時間）を求めるために、ユーザが原稿トレイ３０上に原稿を載置してからジョブ開始のためのスタートボタンを押下するまでの履歴（ジョブ前載置時間）の平均時間（平均値）と標準偏差を計算する。
【０１０６】
総点灯時間が一定時間未満である場合、原稿トレイ電源ＯＮタイマー時間を、例えば、平均値＋α×３×標準偏差とする。ここで一定時間とは、１００００時間としてもよい。１００００時間はＬＥＤの製造ばらつきを想定した時のセンサ光量２０％減衰時の時間である。
【０１０７】
一方、総点灯時間が一定時間以上である場合には、原稿トレイ電源ＯＮタイマー時間を、例えば、平均値＋２×標準偏差とする。これにより、センサの寿命が短くなることを予防する。
【０１０８】
これにより、ユーザの使い勝手を損ねることなく、原稿長検知センサ１５の寿命を延長することができる。
【０１０９】
本実施例では、原稿を載置してからジョブを開始するまでのジョブ前載置時間、光学センサの総発光時間、センサ光量調整値に応じて、原稿サイズを検出するための光学センサのＬＥＤ発光タイムアウト時間をユーザの使い勝手を加味して適正に設定する。さらに、定形ジョブでは、原稿トレイ上の原稿サイズ検知が完了するとともに電源を遮断する。これににより、光学センサの寿命を延命できると共に、生産性やＡＤＦ−ＦＣＯＴを低下させることの少ない、使い勝手のよい画像読取装置を提供できる。
【０１１０】
なお、上述した実施例では、画像形成装置としてＡＤＦと画像読取部を有する画像読取装置単体を例示したが、本発明はこれに限定されるものではない。例えば、さらに画像形成部を有する複写機、ファクシミリ装置等の画像形成装置における画像読取装置であっても良い。これらの画像形成装置における画像読取装置に本発明を適用することにより同様の効果を得ることができる。
【符号の説明】
【０１１１】
Ｓ    …原稿束
１０  …原稿有無検知センサ
１４  …原稿幅検知センサ
１５，１６ …原稿長検知センサ
２００ …画像読取部
２０２ …光学スキャナユニット
２０３ …ＬＥＤ
２０８ …画像読取センサ
３０  …原稿トレイ
３００ …画像処理コントローラ部
８０１ …ＣＰＵ（Ａ）
８０２ …ＲＯＭ（Ａ）
８０３ …ＲＡＭ（Ａ）
８０８ …ＥＥＰＲＯＭ
８０９ …電源スイッチ
８１０ …電流調整出力用Ｄ／Ａ変換
８１１ …電流調整入力用Ａ／Ｄ変換
９０１ …ＣＰＵ（Ｂ）
９０２ …ＲＯＭ（Ｂ）
９０３ …ＲＡＭ（Ｂ）
９０４ …操作部
１０００ …画像読取装置
【図１】
2018085673.tif 000003
【図２】
2018085673.tif 000004
【図３】
2018085673.tif 000005
【図４】
2018085673.tif 000006
【図５】
2018085673.tif 000007
【図６】
2018085673.tif 000008
【図７】
2018085673.tif 000009
【図８】
2018085673.tif 000010
【図９】
2018085673.tif 000011
【図１０】
2018085673.tif 000012
【図１１】
2018085673.tif 000013